(57)【要約】【課題】  受水槽内に貯留された水の水位観測及び水位制御を簡易に行うことができる水位観測兼水位制御用管状センサ及び同管状センサを配備した受水槽を提供する。【解決手段】  水位観測兼水位制御用管状センサ１は、受水槽２の外周壁面２０に沿って立設され、下端には受水槽下部への連通接続口３Ａが備えられ、本体部は透明管からなり、同本体部には下方から上方にかけて所定間隔で水位制御用の複数の電極４が管壁１０を貫通して貫設されて構成される。また、水位観測兼水位制御用管状センサを配備した受水槽は、前記水位観測兼水位制御用管状センサと、同センサの下端が受水槽の下部に連通接続され、前記センサ１の本体部が前記受水槽の外周壁面２０に沿って立設されて構成される。【選択図】    図１
2006208118.tif 000002
【特許請求の範囲】
【請求項１】
受水槽２の外周壁面２０に沿って立設して用いられる受水槽の水位観測兼水位制御用管状センサ１であって、同管状センサ１の下端には受水槽下部への連通接続口３Ａを備え、同管状センサ１の本体部は透明管よりなり、同管状センサ１の本体部には下方から上方にかけて所定間隔で水位制御用の複数の電極４が管壁１０を貫通して貫設されてなることを特徴とする水位観測兼水位制御用管状センサ。
【請求項２】
前記電極４が、信号線７との接続が着脱自在で、かつ防水構造となしてあることを特徴とする請求項１に記載の水位観測兼水位制御用管状センサ。
【請求項３】
前記水位観測兼水位制御用管状センサ１が、同管状センサ１の本体部の透明管に水位検知用の目盛り５が形成されてなることを特徴とする請求項１又は２のいずれか１項に記載の水位観測兼水位制御用管状センサ。
【請求項４】
透明管よりなる本体部に下方から上方にかけて所定間隔で水位制御用の複数の電極４が管壁１０を貫通して貫設されてなる水位観測兼水位制御用管状センサ１と、同管状センサ１が装着された受水槽２とからなり、かつ同管状センサ本体の下端が受水槽の下部に連通接続され、また前記センサ１の本体部が前記受水槽の外周壁面２０に沿って立設されてなることを特徴とする水位観測兼水位制御用管状センサを配備した受水槽。
【請求項５】
透明管よりなる本体部に下方から上方にかけて所定間隔で水位制御用の複数の電極４が管壁１０を貫通して貫設されてなる水位観測兼水位制御用管状センサ１と、同管状センサ１が装着された受水槽２とからなり、前記受水槽が仕切板２１を介して２槽式に構成され、かつ前記管状センサ本体の下端が受水槽の各槽の下部に連通接続され、また前記管状センサ１の本体部が前記受水槽の外周壁面１０に沿って立設されてなることを特徴とする水位観測兼水位制御用管状センサを配備した受水槽。
【請求項６】
前記水位観測兼水位制御用管状センサ１が、管壁１０を貫通して貫設される水位制御用の複数の電極４の管外周面に突出した同電極の端部４’に、水位を検知・制御するための水位制御器６への信号線７が接続されてなることを特徴とする請求項４又は５のいずれか１項に記載の水位観測兼水位制御用管状センサを配備した受水槽。
【請求項７】
前記水位観測兼水位制御用管状センサ１が、管壁１０を貫通して貫設される水位制御用の複数の電極４の管外周面に突出した同電極の端部４’に、水位を検知・制御するための水位制御器６への信号線７が着脱自在に接続されてなり、水位の設定時に、所定位置の電極の端部４’に信号線７を接続してなることを特徴とする請求項４〜６のいずれか１項に記載の水位観測兼水位制御用管状センサを配備した受水槽。
【発明の詳細な説明】
【技術分野】
【０００１】
本発明は、受水槽内に貯留された水の水位観測及び水位制御を簡易に行うことができる水位観測兼水位制御用管状センサ及び同管状センサを配備した受水槽に関する。
【背景技術】
【０００２】
マンションや事業所、学校、ホテル等の中・大規模建物には、飲料水等を供給するために上水を貯留する受水槽が配置されており、前記受水槽内の水は、建物内に適正に水を供給できるよう常時水量が管理されている。
そして、受水槽は、良好な環境を維持するために、定期的に清掃や点検が行われ、建物内の水の使用状況を考慮して受水槽内の水量の設定変更等がなされている。
受水槽内の水量の管理や、水位の設定等は、従来から電極棒を使用した水位観測方法によって行われてきた。
【０００３】
図５は従来の受水槽内の水位調整に係る仕組みの構成例を示した説明図である。
仕切板１０１で２槽に仕切られた受水槽１００のそれぞれの受水槽１００Ａ・１００Ｂの上部には電極棒保持器１０２Ａ・１０２Ｂが配置され、前記電極棒保持器１０２Ａ・１０２Ｂにはその長さが制御水位に適合する複数本の電極棒１０３Ａ・１０３Ｂが固設されて、受水槽１００Ａ・１００Ｂ内に垂設されている。
これら電極棒１０３Ａ・１０３Ｂは、図５に示すように、各受水槽１００Ａ・１００Ｂの満水時を検知する満水警報レベル（Ｅａ）に適合する長さに形成された電極棒１０３Ａａ・１０３Ｂａ、給水管の電動弁を閉じるレベル（Ｅｂ）に適合する長さに形成された電極棒１０３Ａｂ・１０３Ｂｂ、給水管の電動弁を開くレベル（Ｅｃ）に適合する長さに形成された電極棒１０３Ａｃ・１０３Ｂｃ、運転の限界の水量を検知する減水警報レベル（Ｅｄ）に適合する長さに形成された電極棒１０３Ａｄ・１０３Ｂｄ、共通電極レベル（Ｅｅ）に適合する長さに形成された電極棒１０３Ａｅ・１０３Ｂｅとで構成されている。
そして、各電極棒１０３Ａ・１０３Ｂが、その長さに応じた水位を検出し、信号線１０４Ａ・１０４Ｂを介して電動弁１０５の開閉や給水ポンプ１０６の非常時の停止を制御する。
つまり、通常、受水槽の水中にある電極棒（図５においては、電極棒１０３Ａｃ、１０３Ａｄ、１０３Ａｅ、１０３Ｂｃ、１０３Ｂｄ、１０３Ｂｅ）はオン、通常水中外にある電極棒（図５においては、電極棒１０３Ａａ、１０３Ａｂ、１０３Ｂａ、１０３Ｂｂ）はオフの状態にしておき、例えば、水量が減って適量の最下限以下になると電動弁を開くレベルに適合する長さに形成された電極棒１０３Ａｃ・１０３Ｂｃが水中に存在しなくなってオフとなり、給水用の電動弁１０５が開かれて給水が始まる。そして、電動弁を閉じるレベルに適合する長さに形成された電極棒１０３Ａｂ・１０３Ｂｂが水に浸かりオンとなった時点で給水用の電動弁１０５を閉じ、適量の最上限の水量を確保する。
【０００４】
しかし、前記構成の受水槽の水位調整方法においては、水位検出のために受水槽内に垂設される電極棒を、制御する水位に合わせた長さに切断して形成しなければならず、さらにその切断した電極棒を電極棒保持器に固定する作業も、電極棒の長さがまちまちなことから、非常に煩雑なものであった。
また、受水槽の設定水位を変更する場合には、電極棒を電極棒保持器から取り外し、新たな水位に適合する長さの電極棒と取り替えて固定しなければならず、コストもかかり作業も容易ではなかった。
この問題に対しては、特開平０５−５６４６号公報で、水槽内に配置される電極棒を上下方向に移動させる機構を備え、電極棒を上下に移動させることによって、電極棒を切断したり取り替えたりすることなく、任意、かつ容易に貯水量を調節できる発明が開示されている。
【特許文献１】特開平０５−５６４６号公報
【発明の開示】
【発明が解決しようとする課題】
【０００５】
しかしながら、上記発明を含む従来の受水槽での電極棒による水位調整機構においては、その機構の作動テストの際に、受水槽内に所定量の給水を行った後、水位を調整しながら作動を確認しなければならず、大容量の受水槽の場合には、給水や排水に長時間かかり、大かがりなものとなっていた。
さらに、電極棒は受水槽内に垂設されるため、受水槽内に確実に配備されたかどうか、また、作動不調時にはどの部分が故障しているのか、受水槽内の水量はどの程度残っているのか等の確認をするのが困難であった。
【課題を解決するための手段】
【０００６】
上記課題を解決するために、本発明者は鋭意実験研究の結果、下記の手段によりこの課題を解決した。
（１）受水槽２の外周壁面２０に沿って立設して用いられる受水槽の水位観測兼水位制御用管状センサ１であって、同管状センサ１の下端には受水槽下部への連通接続口３Ａを備え、同管状センサ１の本体部は透明管よりなり、同管状センサ１の本体部には下方から上方にかけて所定間隔で水位制御用の複数の電極４が管壁１０を貫通して貫設されてなることを特徴とする水位観測兼水位制御用管状センサ。
（２）前記電極４が、信号線７との接続が着脱自在で、かつ防水構造となしてあることを特徴とする前記（１）に記載の水位観測兼水位制御用管状センサ。
（３）前記水位観測兼水位制御用管状センサ１が、同管状センサ１の本体部の透明管に水位検知用の目盛り５が形成されてなることを特徴とする前記（１）又は（２）のいずれか１項に記載の水位観測兼水位制御用管状センサ。
【０００７】
（４）透明管よりなる本体部に下方から上方にかけて所定間隔で水位制御用の複数の電極４が管壁１０を貫通して貫設されてなる水位観測兼水位制御用管状センサ１と、同管状センサ１が装着された受水槽２とからなり、かつ同管状センサ本体の下端が受水槽の下部に連通接続され、また前記センサ１の本体部が前記受水槽の外周壁面２０に沿って立設されてなることを特徴とする水位観測兼水位制御用管状センサを配備した受水槽。
（５）透明管よりなる本体部に下方から上方にかけて所定間隔で水位制御用の複数の電極４が管壁１０を貫通して貫設されてなる水位観測兼水位制御用管状センサ１と、同管状センサ１が装着された受水槽２とからなり、前記受水槽が仕切板２１を介して２槽式に構成され、かつ前記管状センサ本体の下端が受水槽の各槽の下部に連通接続され、また前記管状センサ１の本体部が前記受水槽の外周壁面１０に沿って立設されてなることを特徴とする水位観測兼水位制御用管状センサを配備した受水槽。
【０００８】
（６）前記水位観測兼水位制御用管状センサ１が、管壁１０を貫通して貫設される水位制御用の複数の電極４の管外周面に突出した同電極の端部４’に、水位を検知・制御するための水位制御器６への信号線７が接続されてなることを特徴とする前記（４）又は（５）のいずれか１項に記載の水位観測兼水位制御用管状センサを配備した受水槽。
（７）前記水位観測兼水位制御用管状センサ１が、管壁１０を貫通して貫設される水位制御用の複数の電極４の管外周面に突出した同電極の端部４’に、水位を検知・制御するための水位制御器６への信号線７が着脱自在に接続されてなり、水位の設定時に、所定位置の電極の端部４’に信号線７を接続してなることを特徴とする前記（４）〜（６）のいずれか１項に記載の水位観測兼水位制御用管状センサを配備した受水槽。
【発明の効果】
【０００９】
本願発明の水位観測兼水位制御用管状センサ及び同センサを配備した受水槽によって、下記の効果が発揮される。
（ア）本発明の水位観測兼水位制御用管状センサは、受水槽の外周壁面に沿って立設され、下端に受水槽下部との連通接続口を備え、かつ同管状センサの本体部が透明管で構成されているので、受水槽内の水位を管状センサで視認することができ、貯水量の監視が容易に行える。
（イ）前記管状センサの本体部には下方から上方にかけて所定間隔で水位制御用の電極が複数個管壁を貫通して貫設されているので、前記電極と受水槽内の水の接触状態の変化により、水位の変化が電極に流れる電流の変化として観測でき、その変化に基づいて受水槽への給水バルブの開閉を制御することにより水位の安定維持が図れる。
【００１０】
（ウ）管状センサの管外に突出した電極端部に、水位を制御する水位制御器と接続された信号線が、着脱自在に接続できるので、電極端部への信号線の接続を変更するだけで、容易に制御水位の設定変更ができる。
（エ）前記管状センサの透明な本体部に水位検知用の目盛りが形成されているので、受水槽の貯水量が一目で確実に観測、確認できる
（オ）本発明の水位観測兼水位制御用管状センサを配備した受水槽が、仕切板によって２槽に仕切られ、かつ両受水槽の下部と前記管状センサの下端とがそれぞれ連通接続管によって接続されているので、それぞれの接続管に連通を制御するバルブを配設することにより受水槽の清掃や点検時に一方のバルブを閉じて連通を遮断すれば一方の受水槽を独立させることができ、一方の受水槽で給水を続けながら、他方の受水槽を空にして清掃や点検ができ、建物内の給水を絶つことなく、また管状センサにより水位制御をも支障なく行える。
（カ）また、前記それぞれの連通接続管に配設された２つのバルブをともに閉じることによって管状センサを受水槽の貯留水から遮断すれば、前記管状センサーの作動テストや点検、清掃が、受水槽の水位とは無関係に管状センサ独自で実施できる。
【発明を実施するための最良の形態】
【００１１】
本発明を実施するための最良の形態を図に基づいて以下に説明する。
図１は、本発明の水位観測兼水位制御用管状センサ及び同管状センサを配備した受水槽の斜視図、図２は本発明の水位観測兼水位制御用管状センサを配備した受水槽の構成説明図、図３は本発明における水位観測兼水位制御用管状センサの電極の説明用断面図、図４は本発明の水位観測兼水位制御用管状センサを備えた受水槽の一例を示すブロック図である。
図中、１は水位観測兼水位制御用管状センサ、１’は管状センサの下端部、１”は管状センサの本体部、２は受水槽、２Ａは受水槽Ａ、２Ｂは受水槽Ｂ、３Ａ・３Ｂは連通接続口、４は電極、４’は電極の端部、４Ａは水位上限警報電極、４Ｂは水位上限設定電極、４Ｃは水位下限警報電極、４Ｄは共通電極、４Ｆは非接続電極、４Ｓは水位下限設定電極、５は目盛り、６は水位制御器、７は信号線、１０は管壁、１１は防水コネクタ受け部、１２は防水キャップ、１３はパッキング、１４はコネクタ差し込み部、１５は差込接触バネ、１６は受水槽給水用電動弁、１７は給水管、１８は液面制御回路、１９ａ、１９ｂは表示灯、２０は外周壁面、２１は仕切板、２２は電源回路、２３は警報発生装置、３０Ａ、３０Ｂ、３１Ａ、３１Ｂはバルブ、である。
【００１２】
本発明の水位観測兼水位制御用管状センサ１は、図１に示すように受水槽２の外周壁面２０に沿って立設して用いられ、同管状センサ１の下端１’には受水槽２下部への連通接続口３Ａ、３Ｂが備えられている。そして、同管状センサ１の本体部１”は透明管で形成され、同管状センサ１の本体部１”には下方から上方にかけて所定間隔で水位制御用の複数の電極４が管壁１０を貫通して貫設されて構成されている。
【００１３】
また、前記水位観測兼水位制御用管状センサ１の管壁１０に貫通して貫設された前記電極４には、受水槽２Ａ、２Ｂ内の水位を制御する水位制御器６からの信号線７が着脱自在に、かつ防水構造で接続されている（詳細は後述する）。
なお、図１及び図２に示す前記管状センサ１では、同管状センサ１の本体部１”を構成する透明管に水位検知用の目盛り５が形成されている。
【００１４】
一方、本発明の水位観測兼水位制御用管状センサを配備した受水槽は、前記水位観測兼水位制御用管状センサ１と、受水槽２とからなるものであり、同管状センサ１の本体の下端１’が受水槽２の下部に連通接続され、受水槽２に供給される水が管状センサ１にも供給される構成となっており、前記管状センサ１の本体部１”は、前記受水槽２の外周壁面２０に沿って立設されている。
なお、受水槽２は、仕切板２１を介して２槽に仕切られて構成されているものでもよく、この２槽式受水槽２の場合には、前記管状センサ１の下端１’が受水槽２の各受水槽２Ａ、２Ｂの下部に連通接続されて構成される。
本発明の水位観測兼水位制御用管状センサ１は、受水槽２の下部と連通接続されているので、受水槽２に給水されると、連通接続口３Ａ、３Ｂを介して、同時に管状センサ１の本体部１”にも給水され、管状センサ１の本体部１”内の水位は、受水槽２内の水位と同じになる。
【００１５】
前記管状センサ１の下端１’と受水槽２の下部を連通接続する連通接続管には、受水槽２Ａと受水槽２Ｂとの切り替え使用のためのバルブ３０Ａ、３０Ｂが配設され、受水槽２の清掃や点検時に、一方の受水槽（例えば受水槽２Ａ）は給水を続けながら、他方の受水槽（例えば受水槽２Ｂ）内の水を排水することを可能にしている。このため、建物内への給水を止めて断水状態にすることなく、清掃や点検ができ、かつ管状センサ１による水位制御も行えるものとなっている。
例えば、バルブ３０Ａを閉じることによって受水槽２Ａ内の貯留水と受水槽２Ｂ及び管状センサ１の貯留水との連通を遮断すると、管状センサ１の本体部１”は受水槽２Ｂとのみ連通し、管状センサ１は受水槽２Ｂの水位と同じ水位を示し、また、バルブ３１Ａを閉じることにより受水槽２Ａへの給水を遮断すると、同受水槽２Ｂのみの水位を観測・制御でき、受水槽２Ａは、単独で排水、清掃することができる。
【００１６】
また、バルブ３０Ａとバルブ３０Ｂの両者を閉じることにより、管状センサ１を、受水槽２Ａと受水槽２Ｂの貯留水から遮断することができる。
例えば、管状センサ１の作動テストの場合などは、バルブ３０Ａとバルブ３０Ｂを閉めて、管状センサ１にのみ適量の水を給水すれば、受水槽２の水量に関係なく、管状センサ１独自で様々な水位での作動テストができる。
【００１７】
本発明において、受水槽２は、一般にマンションや学校、事業所、ホテルなどの中・大規模建物の上部あるいは地下等に配置される飲料水等の供給用受水槽であるが、水位を観測・制御する必要のある水槽やタンクなど全般に適用できるものである。すなわち、本発明の水位観測兼水位制御用管状センサ１は、あらゆる大きさの水槽（受水槽２）に配備できるものであり、もちろん１槽式、２槽式、角形、円形その他形状に限定されずに適用できるものである。
【００１８】
また、本発明における水位観測兼水位制御用管状センサ１の本体部１”は透明管で構成され、しかも受水槽２の内部に収容されず、受水槽２の外周壁面２０に立設されるため、管状センサ１内の水位はもとより、センサ全体を視認することができる。したがって、本体部１”に、水位検知用の目盛り５を形成しておくと水位の検知が容易となるので好ましい。
そして、センサ故障時には、どの部分が不良であるかを直接確認しながら検査できるものとなっている。
なお、管状センサ１の本体部１”を構成する透明管は、管内の水量を検知できる程度の透明度を有していればよく、半透明であってもよい。また、管壁１０には、電極４が貫通して貫設されているので、電極４を貫設できる程度の強度を有するものが好ましい。例えば、透明塩化ビニールパイプなどが好適である。
また、管状センサ１の本体部１”を構成する透明管は、管壁１０に電極４を貫設できる程度の太さを有するもので、受水槽２の大きさや形状に合わせてその径を選択することができる。例えば、３〜１０ｃｍ程度の径の管で、水位の検知が容易な程度の太さを備えていればよい。
【００１９】
本発明の管状センサ１の管壁１０に電極４が貫設される所定間隔は、受水槽２の大きさ等を考慮して、水位を観測・制御する際に必要となる間隔であり、等間隔に例えば５〜１０ｃｍの間隔で貫設する。また、管状センサ１の本体部１”に目盛り５を形設する場合には、例えば、１００リットル間隔等で目盛り５を形成し、その目盛り５に対応するように電極４を貫設すると、水量が観測しやすく好適である。
【００２０】
そして、本発明における水位観測兼水位制御用管状センサ１の本体部１”の管壁１０に貫設される電極４は、図３に示すように、管内にはその水位を検知できる程度に突出し、管外には水位を検知し制御する水位制御器６への信号線７を接続できる程度の端部４’が突出する長さを有し、かつ防錆と導電性に優れた素材、例えばステンレス等で構成される。
また、電極４は本体部１”の下方から上方にかけて所定の間隔をもって貫設され、検知・制御する水位に応じてその位置に配置されている電極４から出力する信号により、水位の観測・検知ができるようになっている。
なお、水位制御器６への信号線７の電極端部４’への接続は、着脱自在にすることもでき、検知、制御する水位に対応した位置の電極４にのみ信号線７を接続して水位の観測・検知を行ってもよい。
これら電極４と信号線７との接続は、受水槽２の大きさや配置場所等を考慮して、検知、制御する水位の設定変更時に容易な方法を選択することが好ましい。例えば、ホテル、学校など頻繁に水位の設定変更を行う建物の場合は、複数の電極のすべてに信号線７を接続しておき、水位制御器６に備えられた切換器（後述する）で設定水位を変更できる構成とすることが好ましく、また、水位の設定変更が少ない受水槽２の場合には、あらかじめ設定された水位の位置の電極４に信号線７を接続し、その他の位置の電極４はキャップ等を被装して保護しておくことが好ましい。
【００２１】
図３において、管状センサ１の管壁１０に貫通して貫設された電極４の管外に突出した電極端部４’は、防水コネクタ受け部１１に保護され、そして、信号線７と接続されない電極４には、パッキング１３で防水処理された防水キャップ１２が被装され電極端部４’の防錆が図られている。また、信号線７と接続される電極４は、防水コネクタ受け部１１との接合部にパッキング１３を備え、かつ信号線７と接続された差込接触バネ１５を設けたコネクタ差し込み部１４が装着され、前記差込接触バネ１５が電極端部４’を把持することによって信号線７と接続され、水位変化に伴うオン・オフ情報を信号線７を介して水位制御器６に伝送する。
【００２２】
図４に本発明の水位観測兼水位制御用管状センサを備えた受水槽の一例のブロック図を示す。
図４は、水位観測及び水位制御に必要な水位の位置に配備された電極４に信号線７を接続して実施される場合のブロック図であり、図において、４Ａは水位上限警報電極、４Ｂは水位上限設定電極、４Ｃは水位下限警報電極、４Ｄは共通電極、４Ｆは非接続電極、４Ｓは水位下限設定電極、１６は受水槽給水用電動弁、１７は給水管、１８は液面制御回路、１８ａは液面制御回路接続部（上限警報）、１８ｂは液面制御回路接続部（上限設定水位）、１８ｃは液面制御回路接続部（下限設定水位）、１８ｄは液面制御回路接続部（下限警報）、１８ｅは液面制御回路接続部（共通電極）、１９ａは表示灯（上限警報）、１９ｂは表示灯（下限警報）、２２は電源回路、２３は警報発生装置である。
【００２３】
本発明の水位観測兼水位制御用管状センサが配備された受水槽２は、同受水槽２の外周壁面２０に水位観測兼水位制御用管状センサ１が立設され、前記水位観測兼水位制御用管状センサ１の管壁１０に電極４が貫設されて構成されている（図１参照）。
図４に示すブロック図においては、管状センサ１の電極４のうち、水位上限警報電極４Ａ、水位上限設定電極４Ｂ、水位下限警報電極４Ｃ、共通電極４Ｄ、水位下限設定電極４Ｓが、それぞれ防水コネクタ受け部１１に信号線７と接続されたコネクタ差し込み部１４が螺合されている（図３参照）。
そして、上記電極は、それぞれの電極の防水コネクタ受け部１１に螺合されたコネクタ差し込み部１４に接続された信号線７を介して液面制御回路１８における所定の接続部、水位上限警報電極４Ａは上限警報用の液面制御回路接続部１８ａ、水位上限設定電極４Ｂは上限設定水位用の液面制御回路接続部１８ｂ、水位下限警報電極４Ｃは下限警報用の液面制御回路接続部１８ｄ、共通電極４Ｄは共通電極用の液面制御回路接続部１８ｅ、水位下限設定電極４Ｓは下限設定水位用の液面制御回路接続部１８ｃと接続される。
【００２４】
上記接続により、受水槽２内の水の水位がいずれかの電極４、ここでは、水位上限警報電極４Ａ、水位上限設定電極４Ｂ、水位下限警報電極４Ｃ、共通電極４Ｄ、水位下限設定電極４Ｓに達すると、通電回路が形成され、所定のバルブ（電動弁）等が作動し、水量の調整や制御が実施される。
万一何らかの不具合が発生して、上限や下限警報水位を越える異常事態が起きた場合には、警報を発し、給水ポンプを停止する設定とすることもできる。
【００２５】
なお、本事例においては、水位設定電極４Ｂ及び４Ｓの位置を設定水位として、上限及び下限の電極４を割り当てているが、使用状況等に合わせて、設定水位電極４Ｂ及び４Ｓの位置を変更し、図における非接続電極４Ｆのいずれか変更水位に対応した電極を新たな設定水位電極とすることもできる。
例えば、前記水位上限設定電極４Ｂと水位下限設定電極４Ｓの間の電極４Ｆのいずれかの電極を水位設定電極４Ｂ’及び４Ｓ’（図示せず）として選択し、その電極４Ｂ’及び４Ｓ’の防水コネクタ受け部１１に、液面制御回路１８の上限設定水位用の液面制御回路接続部１８ｂと下限設定水位用の液面制御回路接続部１８ｃと接続されたコネクタ差込部１４を螺合させる。
それにより、新たな水位設定電極４Ｂ’及び４Ｓ’の防水コネクタ受け部１１と螺合されたコネクタ差込部１４は信号線７から液面制御回路１８に内蔵の制御リレーにより所要の電動弁が作動し水位の制御を行うことができる。
【００２６】
本発明の水位観測兼水位制御用管状センサを備えた受水槽２における水位制御には、その制御水位の設定を任意の電極４に信号線７を接続して行う方法と、すべての電極４に常時信号線７を接続しておき、これら信号線７を水位制御器で切り替えて行う方法とが考えられる。
まず、任意の電極４に信号線７を接続して水位制御を行う場合を図４に基づいて説明する。
受水槽２は、仕切板２１により受水槽２Ａと受水槽２Ｂに仕切られ２槽式となっている。そして、受水槽２Ａと受水槽２Ｂの外周壁面２０に水位観測兼水位制御用管状センサ１が立設され、受水槽２Ａと受水槽２Ｂの下部が、水位観測兼水位制御用管状センサ１の本体の下端１’に備えられた連通接続口３Ａ、３Ｂ（図１参照）と連通して接続され、受水槽２Ａと管状センサ１間の水の連通を制御するバルブ３０Ａと受水槽２Ｂと管状センサ１間の水の連通を制御するバルブ３０Ｂを共に開いた状態において、受水槽２Ａと受水槽２Ｂと管状センサ１内の水位は同位置となる。
【００２７】
所定の水位を設定水位電極４Ｓの位置とすると、水位に変動がなく、前記設定水位電極４Ｓが通電状態となっていれば設定水位用リレーがオンの状態で駆動しているので、受水槽給水用電動弁１６は閉じられている。
建物内等で水が使用され、受水槽２内の水が供給されると、前記受水槽２（２Ａ・２Ｂ）の水位は下がり、連通する管状センサ１内の水位も下がるので、水位は設定水位電極４Ｓの位置を下回る。すると、前記設定水位電極４Ｓは水と非接触となり、通電回路がオフとなるので、設定水位用リレーにより、受水槽給水用電動弁１６は開かれ、給水管１７から給水口１７Ａ、１７Ｂへ水が供給され、受水槽２Ａ及び受水槽２Ｂに給水される。
そして、建物内等での水の使用量より給水量が多い時は、受水槽２Ａと受水槽２Ｂは、給水口１７Ａ及び１７Ｂからの給水により水位が上昇し、設定水位電極４Ｓの位置に達する。すると、設定水位電極４Ｂが水と接触することにより通電回路がオンとなり、設定水位用リレーにより、受水槽給水用電動弁１６は閉められ、給水管１７からの給水口１７Ａ、１７Ｂへの給水が停止される。
このように、受水槽２Ａと受水槽２Ｂの水位は上限設定水位と下限設定水位の間で制御される。
なお、設定水位を設定水位電極４Ｂ及び４Ｓの位置としたが、他の電極４Ｆの貫設されている位置を設定水位として、同電極４Ｆを設定水位電極４Ｂ及び４Ｓとして、信号線７を差し替えることにより同様に、水位を設定し制御することもできる。
【００２８】
受水槽２における水位が上限や下限を超えるような場合には、警報が鳴らされ、受水槽２からの建物内への水の供給の停止等の制御が、以下のように行われる。
受水槽２内の水位が上昇して水位上限警報電極４Ａの位置に達した場合には、水位上限警報用リレーが作動し、表示灯１９ａが点灯すると共に警報発生装置２３が作動し、警告音が発される。警告音は、外部に連絡する構成とすることもできる。
【００２９】
一方、受水槽２内の水位が下降して水位下限警報電極４Ｃの位置に達した場合、すなわち、水位下限警報電極４Ｃが水と非接触になった場合には、水位下限警報用リレーが作動し、表示灯１９ｂが点灯すると共に警報発生装置２３が作動して警告音が発される。給水ポンプが設置されている場合には、警報発生装置２３の作動時に給水ポンプも停止される。
正常な運転状態になり、水位が水位下限警報電極４Ｃに戻ると、各リレーによる警報が解除される。
【００３０】
なお、作動テストは、管状センサ１のみに給水することで実施できる。
受水槽２Ａと管状センサ１間の水の連通を制御するバルブ３０Ａと受水槽２Ｂと管状センサ１間の水の連通を制御するバルブ３０Ｂ、及び建物内へ水を供給するための供給用バルブ３０Ｃを閉じることにより、受水槽２の水量に関係なく、管状センサ１のみへの給水で作動テストをすることができる。
【００３１】
また、受水槽２を清掃する場合、受水槽２Ａ、受水槽２Ｂのいずれか一方は正常水位を保持しつつ、他方の清掃を行うことができる。
これは、受水槽２Ａと管状センサ１間の水の連通を制御するバルブ３０Ａと給水側バルブ３１Ａ、受水槽２Ｂと管状センサ１間の水の連通を制御するバルブ３０Ｂと給水側バルブ３１Ｂのいずれかを閉じ、他方を開いておくことにより、閉じられたバルブ側の受水槽２Ａ、２Ｂと他方の受水槽２Ａ、２Ｂの水の連通が遮断され、他方の受水槽２Ａ、２Ｂを独立した受水槽として設定水位を保ちつつ、建物内への給水ができるからである。
そして、交互にバルブ３０Ａと給水側バルブ３１Ａ、バルブ３０Ｂと給水側バルブ３１Ｂを開閉しつつ、清掃を行うことにより全体の清掃ができる。
なお、受水槽２Ａ、２Ｂの清掃の際においても、独立して設定水位を維持する受水槽に対して水位観測兼水位制御用管状センサ１は作動しているので、前記受水槽の水位の制御は確実に行うことができる。
【図面の簡単な説明】
【００３２】
【図１】本発明の水位観測兼水位制御用管状センサ及び同管状センサを配備した受水槽の斜視図
【図２】本発明の水位観測兼水位制御用管状センサを配備した受水槽の構成説明図
【図３】本発明における水位観測兼水位制御用管状センサの電極の説明用断面図
【図４】本発明の水位観測兼水位制御用管状センサを備えた受水槽の一例を示すブロック図
【図５】従来の受水槽内の水位調整に係る仕組みの構成例を示した説明図
【符号の説明】
【００３３】
１    水位観測兼水位制御用管状センサ
１’  管状センサの下端部
１”  管状センサの本体部
２    受水槽
２Ａ  受水槽Ａ
２Ｂ  受水槽Ｂ
３Ａ、３Ｂ  連通接続口
４    電極
４’  電極端部
４Ａ  水位上限警報電極
４Ｂ  水位上限設定電極
４Ｃ  水位下限警報電極
４Ｄ  共通電極
４Ｆ  非接続電極
４Ｓ  水位下限設定電極
５    目盛り
６    水位制御器
７    信号線
１０  管壁
１１  防水コネクタ受け部
１２  防水キャップ
１３  パッキング
１４  コネクタ差し込み部
１５  差込接触バネ
１６  受水槽給水用電動弁
１７  給水管
１８  液面制御回路
１８ａ  液面制御回路接続部（上限警報）
１８ｂ  液面制御回路接続部（上限設定水位）
１８ｃ  液面制御回路接続部（下限設定水位）
１８ｄ  液面制御回路接続部（下限警報）
１８ｅ  液面制御回路接続部（共通電極）
１９ａ  表示灯（上限警報）
１９ｂ  表示灯（下限警報）
２０  外周壁面
２１  仕切板
２２  電源回路
２３  警報発生装置
３０Ａ、３０Ｂ    バルブ
３１Ａ、３１Ｂ    給水側バルブ
１００、１００Ａ、１００Ｂ  受水槽
１０１  仕切板
１０２Ａ、１０２Ｂ  電極棒保持器
１０３Ａ、１０３Ｂ  電極棒
１０３Ａａ、１０３Ｂａ  満水時を検知する満水警報レベル（Ｅａ）の長さに形成された電極棒
１０３Ａｂ、１０３Ｂｂ  給水管の電動弁を閉じるレベル（Ｅｂ）の長さに形成された電極棒
１０３Ａｃ、１０３Ｂｃ  給水管の電動弁を開くレベル（Ｅｃ）の長さに形成された電極棒
１０３Ａｄ、１０３Ｂｄ  減水時を検知する減水警報レベル（Ｅｄ）の長さに形成された電極棒
１０３Ａｅ、１０３Ｂｅ  共通電極レベル（Ｅｅ）の長さに形成された電極棒
１０４Ａ・１０４Ｂ  信号線
１０５  電動弁
１０６  給水ポンプ
Ｅａ  満水時を検知する満水警報レベル
Ｅｂ  給水管の電動弁を閉じるレベル
Ｅｃ  給水管の電動弁を開くレベル
Ｅｄ  減水時を検知する減水警報レベル
Ｅｅ  共通電極レベル
【図１】
2006208118.tif 000003
【図２】
2006208118.tif 000004
【図３】
2006208118.tif 000005
【図４】
2006208118.tif 000006
【図５】
2006208118.tif 000007